(57)【特許請求の範囲】
【請求項１】
上部フレームと底部とはね上げ側壁と分割側壁と蓋とから構成されている折り畳みコンテナにおいて、前記はね上げ側壁の下端部が、前記底部に形成された係合凹部に挿入されているとともに、組み立てられた状態の折り畳みコンテナに蓋を被せた際には、前記蓋の天板に垂下された阻止板の下端部が、その下端部が前記底部に形成された係合凹部に挿入されている前記はね上げ側壁の上端部に当接され、前記はね上げ側壁の上動が阻止されるように構成されていることを特徴とする折り畳みコンテナ。
【請求項２】
上部フレームと底部とはね上げ側壁と分割側壁と蓋とから構成されている折り畳みコンテナにおいて、前記はね上げ側壁の下端部が、前記底部に形成された係合凹部に挿入されているとともに、組み立てられた状態の折り畳みコンテナに蓋を被せた後、前記蓋に配設された回転ロック部材を回転させることにより、前記回転ロック部材を構成する棒材の水平部が、前記上部フレームの水平リブとその下端部が前記底部に形成された係合凹部に挿入されている前記はね上げ側壁の上端部との間に挿入され、前記はね上げ側壁の上動が阻止されるように構成されていることを特徴とする折り畳みコンテナ。
【発明の詳細な説明】
【０００１】
【発明の属する技術分野】
本発明は、各種物品を、運搬、搬送或いは保管するために使用される折り畳み及び組み立て可能な、所謂、折り畳みコンテナに関するものである。
【０００２】
【従来の技術】
従来、一方の相対する側壁を、上下方向に分割するとともに、適当なヒンジ部材により連結し、もう一方の相対する側壁を、はね上げ可能に形成した折り畳みコンテナにおいて、はね上げ可能に形成された側壁（以下、単に、「はね上げ側壁」という。）が、折り畳みコンテナの内側へ回動しないように、はね上げ側壁に形成された下部水平リブと底部に設けられた係止片とを係合させるようにした折り畳みコンテナが知られている。
【０００３】
【発明が解決しようとする課題】
はね上げ側壁に形成された下部水平リブと底部に設けられた係止片とを係合させたものでは、単に、係止片の弾性力により、はね上げ側壁の回動を阻止しているものであるので、はね上げ側壁に外側から力が加わると、はね上げ側壁が、簡単に、折り畳みコンテナの内側に回動してしまうという問題がある。
【０００４】
本発明の目的は、上述した従来の折り畳みコンテナが有する課題を解決するとともに、簡単な構造により、はね上げ側壁の回動を阻止することができ、且つ、組み立て及び折り畳み作業性の向上した折り畳みコンテナを提供することにある。
【０００５】
【課題を解決するための手段】
本発明は、上述した目的を達成するために、上部フレームと底部とはね上げ側壁と分割側壁と蓋とから構成されている折り畳みコンテナにおいて、第１には、前記はね上げ側壁の下端部が、前記底部に形成された係合凹部に挿入されているとともに、組み立てられた状態の折り畳みコンテナに蓋を被せた際には、前記蓋の天板に垂下された阻止板の下端部が、その下端部が前記底部に形成された係合凹部に挿入されている前記はね上げ側壁の上端部に当接され、前記はね上げ側壁の上動が阻止されるように構成したものであり、第２には、前記はね上げ側壁の下端部が、前記底部に形成された係合凹部に挿入されているとともに、組み立てられた状態の折り畳みコンテナに蓋を被せた後、前記蓋に配設された回転ロック部材を回転させることにより、前記回転ロック部材を構成する棒材の水平部が、前記上部フレームの水平リブとその下端部が前記底部に形成された係合凹部に挿入されている前記はね上げ側壁の上端部との間に挿入され、前記はね上げ側壁の上動が阻止されるように構成したものである。
【０００６】
以下に、一例としての折り畳みコンテナの斜視図である図１、折り畳みコンテナの組み立て順序を示す折り畳みコンテナの斜視図である図２、折り畳みコンテナ及び蓋の一部拡大分解斜視図である図３、被蓋された折り畳みコンテナの上動阻止部材付近の垂直断面図である図４、別の実施例の折り畳みコンテナ及び蓋の一部拡大分解斜視図である図５、更に別の実施例の折り畳みコンテナ及び蓋の一部拡大分解斜視図である図６及び被蓋された折り畳みコンテナの上動阻止部材付近の垂直断面図である図７を用いて、本発明の実施例について説明するが、本発明の趣旨を越えない限り何ら、本実施例に限定されるものではない。
【０００７】
【実施例】
先ず最初に、図１及び図２を用いて、折り畳みコンテナ及び折り畳みコンテナの折り畳み、組み立てについて説明する。
【０００８】
折り畳みコンテナＣは、上部フレーム１、四側面に配設された側壁２及び底部３とからなる上部が開口した箱型に形成されており、側壁２は、上部フレーム１に配設された溝或いは孔に挿入された支軸を中心に回動可能な、相対して配置された側壁２ａ、２ｂ（以下、単に、「はね上げ側壁」という。）と、もう一方の相対して配置された上下に分割された側壁２ｃ，２ｄ（以下、単に、「分割側壁」という。）とから構成されている。上記の分割側壁２ｃ、２ｄは、それぞれ、上部側壁２ｃ’、２ｄ’と下部側壁２ｃ”、２ｄ”とを有し、上部側壁２ｃ’、２ｄ’と下部側壁２ｃ”、２ｄ”とは、それぞれ、適当数の蝶番４により連結されている。また、分割側壁２ｃ、２ｄの上部側壁２ｃ’、２ｄ’は、上部フレーム１に配設された溝或いは孔に挿入された支軸を中心に回動可能に構成されており、そして、下部側壁２ｃ”、２ｄ”は、適当な連結部材５により、底部３に回動可能に枢着されている。
【０００９】
上述したようにして組み立てられた折り畳みコンテナＣを、折り畳み状態から組み立てる順序について、図２を用いて説明する。
【００１０】
図２（ａ）には、相対する一対のはね上げ側壁２ａ、２ｂが、折り畳みコンテナＣの内部側に回動されて略水平状態に位置しており、また、分割側壁２ｃ、２ｄを形成する上部側壁２ｃ’、２ｄ’と下部側壁２ｃ”、２ｄ”が、それぞれ、蝶番４を介して重ねられて、折り畳みコンテナＣが、全体として、コンパクトに折り畳まれた状態が示されている。
【００１１】
この状態から、上部フレーム１を持ち上げると、蝶番４により連結された分割側壁２ｃ、２ｄの上部側壁２ｃ’、２ｄ’と下部側壁２ｃ”、２ｄ”とが拡開されて、図２（ｂ）に示されているように、分割側壁２ｃ、２ｄが平らになる方向に回動する。
【００１２】
更に、上部フレーム１を持ち上げると、図２（ｃ）に示されているように、相対する一対のはね上げ側壁２ａ、２ｂが下方に回動して、図１に示されているような折り畳みコンテナＣが組み立てられることになる。
【００１３】
次に、図３を用いて、垂直状態のはね上げ側壁２ａ、２ｂが、折り畳みコンテナＣの内側に回動しないための回動阻止手段について説明するが、このような回動阻止手段は、相対する一対のはね上げ側壁２ａ、２ｂに共通であるので、一方のはね上げ側壁２ａに配設された回動阻止手段について説明する。
【００１４】
１ａは、分割側壁２ｃ、２ｄが配設された上部フレーム１の長辺枠１ｂの両端部に穿設された縦長孔であり、本実施例においては、逆Ｕ字状の上部フレーム１の内側垂直壁１ｂ’に穿設されている。縦長孔１ａには、はね上げ側壁２ａの上部端側２ａ’に突設された水平軸２ｅが挿着されており、従って、はね上げ側壁２ａは、縦長孔１ａに沿って上下動することができるとともに、水平軸２ｅを中心に回動することができるように構成されている。
【００１５】
１ｃは、上部フレーム１の角部に形成された棚部であり、棚部１ｃに、分割側壁２ｃの上部側壁２ｃ’の上部端側に突設された水平軸２ｆを載置することにより、上部フレーム１に分割側壁２ｃを支持するように構成されている。上部フレーム１に穿設された孔に、上部側壁２ｃ’の上部端側に突設された水平軸２ｆを挿着することにより、上部フレーム１に分割側壁２ｃを支持することもできる。勿論、上部フレーム１への分割側壁２ｃの支持手段は、上記のような実施例に限定されるものではない。
【００１６】
１ｄは、上部フレーム１のはね上げ側壁２ａ側の内側垂直壁１ｂ’に形成された水平リブであり、水平リブ１ｄの両端部付近には、後述する蓋に垂下された、はね上げ側壁２ａの上方への移動を阻止する上動阻止手段としての阻止板が挿入できる透孔１ｅが穿設されている。
【００１７】
３ａは、底部３のはね上げ側壁２ａ側の端部に形成された係合凹部であり、本実施例においては、底部３の端部に形成された垂直壁３ａ’と、垂直壁３ａ’の内側に垂直壁３ａ’沿って形成された段部３ａ”とにより形成されている。垂直壁３ａ’は、はね上げ側壁２ａの水平軸２ｅが、上部フレーム１に穿設された縦長孔１ａの上端に位置しているときに、はね上げ側壁２ａの下端部２ｇが、垂直壁３ａ’の内壁に当接するような高さに形成されており、はね上げ側壁２ａが、図２（ａ）に示されている水平位置から、図２（ｃ）に示されている垂直方向に回動した際に、はね上げ側壁２ａが、垂直位置を越えて回動しないようにストッパーとしての機能をする。
【００１８】
はね上げ側壁２ａを、図２（ａ）に示されている水平位置から、図２（ｃ）に示されている垂直方向に、上部フレーム１に穿設された縦長孔１ａに挿着された水平軸２ｅを中心に回動させて垂直状態とした後に、はね上げ側壁２ａを、縦長孔１ａに沿って下動させることにより、はね上げ側壁２ａの下端部２ｇを、底部３のはね上げ側壁２ａ側の端部に形成された係合凹部３ａに挿入する。このように、はね上げ側壁２ａを、垂直状態に回動した後に下動させて、はね上げ側壁２ａの下端部２ｇを、底部３に形成された係合凹部３ａに挿入することにより、組み立てられた折り畳みコンテナＣのはね上げ側壁２ａに、外力が作用しても、はね上げ側壁２ａが、折り畳みコンテナＣの内側に回動するようなことがない。
【００１９】
６は、折り畳みコンテナＣの開口部に被蓋される蓋であり、そして、蓋６の天板６ａの内壁には、上述した上部フレーム１のはね上げ側壁２ａ側の内側垂直壁１ｂ’に形成された水平リブ１ｄに穿設された透孔１ｅに挿入可能な、はね上げ側壁２ａの上方への移動を阻止する上動阻止手段としての阻止板６ｂが垂下されている。
【００２０】
図１に示されている組み立て状態の折り畳みコンテナＣに、蓋６を被せると、図４に示されているように、蓋６に垂下された阻止板６ｂが、上部フレーム１の水平リブ１ｄに穿設された透孔１ｅに挿入されるとともに、阻止板６ｂの下端部が、垂直状態に回動し、底部３に形成された係合凹部３ａに、その下端部２ｇが挿入された状態のはね上げ側壁２ａの上端部２ｈに当接して、はね上げ側壁２ａの不用意な上動が阻止されることになる。なお、蓋６としては、蓋６の一側が、上部フレーム１に枢着された回動可能な蓋に構成することも、或いは、蓋６を２分割し、それぞれ、２分割された蓋の一側が、上部フレーム１に枢着された回動可能な蓋に構成することもできる。
【００２１】
図５に示されている実施例は、はね上げ側壁２ａの略全幅に亘たって、底部３に形成された上述した係合凹部３ａに代えて、底部３の垂直壁３ａ’の内側に形成された窪み部３ｂにより係合凹部を構成したものである。このような窪み部３ｂは、底部３を貫通する透孔として形成することも、また、底部３を貫通することなく有底の凹部に形成することもできる。また、このような窪み部３ｂは、底部３の垂直壁３ａ’の内側の中央部に１個形成することも、垂直壁３ａ’の内側の両端部付近に２個形成することも、或いは、所定の間隔を置いて３個以上形成することもできる。２ｉは、上述した穴部３ｂに対応して、はね上げ側壁２ａの下端部２ｇに形成された凸部である。
【００２２】
はね上げ側壁２ａを、垂直状態に回動した後に下動させて、はね上げ側壁２ａの下端部２ｇに形成された凸部２ｉを、底部３に形成された係合凹部としての窪み部３ｂに挿入することにより、組み立てられた折り畳みコンテナＣのはね上げ側壁２ａに、外力が作用しても、はね上げ側壁２ａが、折り畳みコンテナＣの内側に回動するようなことが阻止される。その他の構成については、上述した図３と同じであるので、説明は省略する。
【００２３】
次に、図６及び図７を用いて、上述したはね上げ側壁２ａの上方への移動を阻止する上動阻止手段としての阻止板６ｂに代わる上動阻止手段の他の実施例について説明する。
【００２４】
７は、蓋６の天板６ａの端部に形成された凹部６ｃに配設された、上動阻止手段としての回転ロック部材であり、回転ロック部材７は、略円盤状の操作部７ａと操作部７ａの下面に取着された略Ｌ字状の棒材７ｂとから形成されている。そして、棒材７ｂの垂直部７ｂ’を、蓋６の天板６ａの凹部６ｃに穿設された透孔６ｄに挿着することにより、回転ロック部材７が、蓋６に、回転可能に支持されている。
【００２５】
回転ロック部材７は、略Ｌ字状の棒材７ｂの水平部７ｂ”が、垂直状態のはね上げ側壁２ａの幅方向に対して、略平行に回動された状態においては、棒材７ｂの水平部７ｂ”が、はね上げ側壁２ａの上端部２ｈから外れた位置にある。また、この状態から、回転ロック部材７の操作部７ａを略９０度回転させて、回転ロック部材７の棒材７ｂの水平部７ｂ”が、垂直状態のはね上げ側壁２ａの幅方向と直交する状態に回動された状態においては、図７に示されているように、回転ロック部材７の棒材７ｂの水平部７ｂ”が、上部フレーム１の水平リブ１ｄとはね上げ側壁２ａの上端部２ｈとの間に挿入されて、はね上げ側壁２ａの不用意な上動が阻止されるように構成されている。
【００２６】
上述したように、底部３に形成された係合凹部３ａ、３ｂに、上下動可能なはね上げ側壁２ａ、２ｂの下端部２ｇ或いははね上げ側壁２ａ、２ｂの下端部２ｇに形成された凸部２ｉを挿入するようにしたので、組み立てられた折り畳みコンテナＣのはね上げ側壁２ａに、外力が作用しても、はね上げ側壁２ａが、折り畳みコンテナＣの内側に回動するようなことがない。
【００２７】
また、組み立て状態の折り畳みコンテナＣに、蓋６を被せると、蓋６に配設された上動阻止手段としての阻止板６ｂ或いは回転ロック部材７の棒材７ｂの水平部７ｂ”が、はね上げ側壁２ａの上端部２ｈに当接するので、はね上げ側壁２ａの不用意な上動が阻止され、従って、はね上げ側壁２ａ、２ｂが上動して、はね上げ側壁２ａ、２ｂの下端部２ｇが、底部３に形成された係合凹部３ａ、３ｂから抜け出るようなことがない。
【００２８】
【発明の効果】
本発明は、以上説明したように構成されているので、以下に記載の効果を奏することができる。
【００２９】
底部に形成された係合凹部に、はね上げ側壁の下端部を挿入するようにしたので、組み立てられた折り畳みコンテナのはね上げ側壁に、外力が作用しても、はね上げ側壁が、折り畳みコンテナの内側に回動するようなことがない。
【００３０】
組み立て状態の折り畳みコンテナに、蓋を被せると、蓋に配設された上動阻止手段が、はね上げ側壁の上端部に当接するので、はね上げ側壁の不用意な上動が阻止され、従って、はね上げ側壁が上動して、はね上げ側壁の下端部が、底部に形成された係合凹部から抜け出るようなことがない。
【図面の簡単な説明】
【図１】図１は一例としての折り畳みコンテナの斜視図である。
【図２】図２は折り畳みコンテナの組み立て順序を示す折り畳みコンテナの斜視図である。
【図３】図３は折り畳みコンテナ及び蓋の一部拡大分解斜視図である。
【図４】図４は被蓋された折り畳みコンテナの上動阻止部材付近の垂直断面図である。
【図５】図５は別の実施例の折り畳みコンテナ及び蓋の一部拡大分解斜視図である。
【図６】図６は更に別の実施例の折り畳みコンテナ及び蓋の一部拡大分解斜視図である。
【図７】図７は被蓋された折り畳みコンテナの上動阻止部材付近の垂直断面図である。
【符号の説明】
Ｃ・・・・・・・・折り畳みコンテナ
１・・・・・・・・上部フレーム
２ａ、２ｂ・・・・はね上げ側壁
３・・・・・・・・底部
３ａ、３ｂ・・・・係合凹部
６・・・・・・・・蓋
６ｂ・・・・・・・阻止板
７・・・・・・・・回転ロック部材
【図１】
0003713090.tif 000002
【図２】
0003713090.tif 000003
【図３】
0003713090.tif 000004
【図４】
0003713090.tif 000005
【図５】
0003713090.tif 000006
【図６】
0003713090.tif 000007
【図７】
0003713090.tif 000008